(57)【要約】【課題】  エレベータや押上板を使用しないローダを提供する。【解決手段】  ローダ20は、ワーク載置台21と、ワーク移載手段22とを備え、ワーク移載手段22は、水平移動手段23と、昇降手段24と、水平方向スライド手段25と、圧縮ばね262により常時下方に付勢されているワーク吸着手段26と、制御手段27と、ストッパピン28と、センサ29とを備えている。ワーク載置台21上の収納箱212内に多数積層されたワーク１の上に、ワーク移載手段22により下降させたワーク吸着手段26がワーク１に接触すると、センサ29によりワーク吸着手段26がワーク１に接触したことを検知して、ワーク吸着手段26の下降動作を停止する。ワーク吸着手段26でワーク１を真空吸着して上昇し、水平移動手段23により水平移動して、昇降手段24により下降動作して、ワーク１を搬送装置70に受け渡す。【選択図】      図１
2005051118.tif 000002
【特許請求の範囲】
【請求項１】
ワークを所定位置に供給するローダにおいて、
多数のワークを積層して載置するワーク載置台と、
前記積層されたワークの内、最上層のワークを吸着して所定位置に移載するワーク吸着手段を有する水平動作および昇降動作可能なワーク移載手段と、
前記ワーク移載手段で下降させるワーク吸着手段がワークの上面に接触したことを検知してワーク吸着手段の下降動作を停止させるセンサとを備えたことを特徴とするローダ。
【請求項２】
前記ワーク移載手段が複数のワーク吸着手段を有しており、ワークの複数個所を吸着するようにするとともに、複数のワーク吸着手段の一部に前記センサを取り付けたことを特徴とする請求項１に記載のローダ。
【請求項３】
前記ワーク吸着手段が、常時は圧縮ばねの弾性力により下方に押し下げられており、ワークに接触すると圧縮ばねの弾性力に抗して上昇することによりワーク吸着手段がワークに接触したことを検出する前記センサを備えていることを特徴とする請求項１または２に記載のローダ。
【請求項４】
前記ワーク吸着手段が、切替弁を介して真空系に接続されるように構成されており、この切替弁と前記ワーク吸着手段との間に接続された圧力スイッチを備え、前記圧力スイッチが圧力変動を検知して、前記切替弁を切り替えるようにしたことを特徴とする請求項１から３のいずれかに記載のローダ。
【請求項５】
前記切替弁が、圧縮気体系に接続される圧縮気体ポートを備えており、前記圧力スイッチが圧力変動を検知したことにより、前記切替弁が真空系または圧縮気体系に切り替えられるようにしたことを特徴とする請求項１から４のいずれかに記載のローダ。
【請求項６】
前記圧縮気体系が、第２の切替弁に接続されており、この切替弁の二次側にワーク移載手段の昇降手段が接続されていることを特徴とする請求項５に記載のローダ。
【請求項７】
前記ワーク吸着手段の近傍に、ワーク吸着手段の過度の上昇を防止するストッパピンを備えていることを特徴とする請求項１から６のいずれかに記載のローダ。
【請求項８】
前記請求項１から６のいずれかに記載のローダを備えていることを特徴とするダイボンダ。
【発明の詳細な説明】
【技術分野】
【０００１】
本発明はローダおよびダイボンダに関し、例えば、ダイボンダにおいて搬送路にリードフレームやプリント基板などのワークを供給する場合に好適なローダおよびこのローダを組み込んだダイボンダに関するものである。
【背景技術】
【０００２】
半導体装置は、一般に、半導体チップ（ダイ）の裏面を、軟ろう，硬ろう，銀ペースト，樹脂などの接合材を介して、リードフレームやプリント基板などの基板にボンディング（接合）して製造している。
【０００３】
このような半導体チップ（ダイ）を基板にボンディングするダイボンダにおいては、図１８（Ａ）（Ｂ）に示すように、ローダ100と、搬送装置120と、アンローダ130とを配置し、ローダ100から基板110を１枚ずつ搬送装置120に供給し、搬送装置120のレール121上で基板110を所定の方向に搬送し、搬送途中の接合材塗布位置ＰＳで基板110のボンディング領域（アイランド）111に接合材112を塗布し、ボンディング位置ＰＢで前記接合材112を介してボンディング領域111に半導体チップ（ダイ）113をボンディングし、アンローダ130でマガジンなどに収納するようにしている。
【０００４】
そして、前記ローダ100は、一般に、図１９に示すように、エレベータ101に多数の基板110を上下に所定間隔で収納可能なマガジン102を載置して、エレベータ101を１ピッチずつ間欠的に下降（または上昇）させて、プッシャ103の押圧部104で下方（または上方）から基板110を順次切り出して、搬送装置120に供給するものが使用されている。
【０００５】
また、図示は省略するが、マガジン内の押上板上にリードフレームと層間紙とを交互に積層しておき、押上板におりマガジン内のリードフレームを所定ピッチずつ上昇させて、最上段のリードフレームの上面のレベルを所定レベルに維持して、吸着パッドで最上段のリードフレームから１枚ずつピックアップして搬送装置に搬送するようにしたリードフレームの転送装置が提案されている（例えば、特許文献１，２参照。）。
【０００６】
【特許文献１】特開平１０−８４０００号公報
【特許文献２】特開平１０−８４００１号公報
【発明の開示】
【発明が解決しようとする課題】
【０００７】
ところが、図１９に示すローダ100は、多数の基板110を所定ピッチで収納するマガジン102が必要で、しかも、このマガジン102を所定ピッチで下降（または上昇）させるエレベータ101が必要であるため、ローダ100が大型化し、かつ、高価格化することが避けられない。また、マガジン102に基板110を所定ピッチで収納するため、１個のマガジン102に収納可能な基板110の枚数が少なく、マガジン102の交換頻度が高いという問題点があった。
【０００８】
また、特許文献１，２に記載のリードフレームの転送装置は、マガジン内の押上板上にリードフレームと層間紙とを交互に積層するので、図１９に示すマガジン102内に基板110を所定ピッチで収納するものに比較すれば、マガジン内でのリードフレームの収納効率が向上するという利点があるが、押上板によりリードフレームと層間紙との積層体を所定ピッチずつ上昇させて、最上段のリードフレームの上面のレベルを所定レベルに保持するものであるため、所定ピッチずつ上昇する押上板が必要で、転送装置が大型化し、かつ、高価になることが避けられないという問題点があった。
【０００９】
また、特許文献１に記載のリードフレームの転送装置では、転送ヘッドに近接センサを設けて、この近接センサで吸着パッドがリードフレームを吸着したことを検知できるようにしているが、この近接センサは、吸着パッドでリードフレームを吸着したかどうかを検知するものであって、転送ヘッドの下降動作は、この近接センサとは無関係に、押上板により所定レベルに維持されている最上段のリードフレームの上面を吸着パッドが吸着する予め設定された所定距離だけ下降するものである。
【００１０】
また、特許文献２に記載のリードフレームの転送装置は、転送ヘッドに２個のピン状のプローブを設けて、吸着パッドが最上段のリードフレームの上面に接触すると、２個のプローブがリードフレームに着地して、２個のプローブ間を導通性を有するリードフレームで短絡することにより、吸着パッドがリードフレームを吸着したことを検出するようにしているが、この転送装置においても、プローブは吸着パッドが導通性を有するリードフレームを吸着したことを検出するものであって、転送ヘッドの下降動作は、このプローブとは無関係に、押上板により所定レベルに維持されている最上段のリードフレームの上面を吸着パッドが吸着する予め設定された所定距離だけ下降するものである。
【００１１】
そこで、本発明は、例えば、リードフレームやプリント基板などのワークを所定ピッチで収納するマガジンおよびこのマガジンを昇降動作させるエレベータを用いることなく、あるいは、マガジン内に所定ピッチずつ上昇する押上板を設けることなく、ワークを搬送装置に供給可能なローダおよびこのローダを組み込んだダイボンダを提供することを目的とするものである。
【課題を解決するための手段】
【００１２】
本発明の請求項１に記載のローダは、上記の課題を解決するために、ワークを所定位置に供給するローダにおいて、多数のワークを積層して載置するワーク載置台と、前記積層されたワークの内、最上層のワークを吸着して所定位置に移載するワーク吸着手段を有する水平動作および昇降動作可能なワーク移載手段と、前記ワーク移載手段で下降させるワーク吸着手段がワークの上面に接触したことを検知してワーク吸着手段の下降動作を停止させるセンサとを備えたことを特徴としている。
【００１３】
また、本発明の請求項２に記載のローダは、前記ワーク移載手段が複数のワーク吸着手段を有しており、ワークの複数個所を吸着するようにするとともに、複数のワーク吸着手段の一部に前記センサを取り付けたことを特徴としている。
【００１４】
また、本発明の請求項３に記載のローダは、前記ワーク吸着手段が、常時は圧縮ばねの弾性力により下方に押し下げられており、ワークに接触すると圧縮ばねの弾性力に抗して上昇することによりワーク吸着手段がワークに接触したことを検出する前記センサを備えていることを特徴としている。
【００１５】
また、本発明の請求項４に記載のローダは、前記ワーク吸着手段が、切替弁を介して真空系に接続されるように構成されており、この切替弁と前記ワーク吸着手段との間に接続された圧力スイッチを備え、前記圧力スイッチが圧力変動を検知して、前記切替弁を切り替えるようにしたことを特徴としている。
【００１６】
また、本発明の請求項５に記載のローダは、前記切替弁が、圧縮気体系に接続される圧縮気体ポートを備えており、前記圧力スイッチが圧力変動を検知したことにより、前記切替弁が真空系または圧縮気体系に切り替えられるようにしたことを特徴としている。
【００１７】
また、本発明の請求項６に記載のローダは、前記圧縮気体系が、第２の切替弁に接続されており、この切替弁の二次側にワーク移載手段の昇降手段が接続されていることを特徴としている。
【００１８】
また、本発明の請求項７に記載のローダは、前記ワーク吸着手段の近傍に、ワーク吸着手段の過度の上昇を防止するストッパピンを備えていることを特徴としている。
【００１９】
また、本発明の請求項８に記載のダイボンダは、上記のいずれかに記載のローダを備えていることを特徴としている。
【発明の効果】
【００２０】
本発明の請求項１に記載のローダによれば、ワーク載置台に多数のワークを積層して載置できるので、従来のワークを所定ピッチで収納するマガジンを用いる場合に比較して、多数のワークを所定ピッチで収納するマガジンが不要になり、より多数のワークを小さい占有体積でワーク載置台に載置できる。しかも、ワーク移載手段によりワーク吸着手段が下降してワークに接触すると、センサがそれを検知してワーク吸着手段の下降動作を停止するので、最上段のワークの上面のレベルに関係なく、換言すれば、ワークの積層枚数に関係なく、積層されたワークを最上層のものから順次吸着して搬送装置に移載することができ、従来のワークを所定間隔で収納したマガジンを所定ピッチで下降（または上昇）させるエレベータが不要で、また、多数のワークを押上板上に積層して、押上板を所定ピッチずつ上昇させて、最上段のワークの上面のレベルを所定レベルに維持するものに比較して、積層されたワークを所定ピッチずつ上昇させる押上板が不要で、ローダの構成を著しく簡単で、小型、かつ安価にすることができる。
【００２１】
また、本発明の請求項２に記載のローダによれば、矩形状のワークを複数、例えば、４個のワーク吸着手段で吸着し、水平状態に安定して保持して、ロード位置に移載することができる。また、複数のワーク吸着手段の一部に前記センサを取り付けたことにより、すべてのワーク吸着手段にセンサを取り付ける場合に比較して、低コストにできる。
【００２２】
また、本発明の請求項３に記載のローダによれば、ワーク吸着手段がワークに接触すると、圧縮ばねの弾性力に抗してワーク吸着手段が上昇して、ワーク吸着手段がワークに接触したことをセンサが検知するので、このセンサの出力信号でワーク移載手段を上昇させることができる。
【００２３】
また、本発明の請求項４に記載のローダによれば、ワーク吸着手段がワークを吸着すると、切替弁と前記ワーク吸着手段との間に配管内の圧力が変動し、この圧力変動を切替弁と前記ワーク吸着手段との間に接続された圧力スイッチが検知して、前記切替弁を切替えるようにしたので、ワーク吸着手段によるワークの吸着を、画像認識装置や位置センサなどを使用することなく検知することができる。
【００２４】
また、本発明の請求項５に記載のローダによれば、圧力スイッチが圧力変動を検知したことにより、切替弁を切り替えて、圧縮気体系の圧縮気体により、ワーク移載手段の昇降動作を制御することができる。
【００２５】
また、本発明の請求項６に記載のローダによれば、第２の切替弁により、ワーク吸着手段の昇降動作を制御することができる。
【００２６】
また、本発明の請求項７に記載のローダによればストッパピンによりワーク吸着手段の過度の上昇が防止され、ワーク吸着手段の損傷を防止することができる。
【００２７】
また、本発明のダイボンダによれば、マガジンやエレベータを必要とすることなく、多数積層されたワークを最上層のものから一枚ずつワーク吸着手段で吸着して搬送装置に供給することができる。
【発明を実施するための最良の形態】
【００２８】
以下、本発明の実施形態のローダおよびこのローダを組み込んだダイボンダの実施形態について、図面を参照して説明する。
【００２９】
このダイボンダ10は、図１に示すように、ワークの一例であるリードフレームやプリント基板などの基板１を供給するローダ20と、基板１を搬送する搬送装置70と、搬送装置70の中途部における手前側の接合材塗布位置ＰＳで基板１に接合材を塗布する接合材塗布装置30と、搬送装置70の中途部における前方側のボンディング位置ＰＢで接合材が塗布された基板１のボンディング領域に半導体チップ（ダイ）をボンディングするボンディングヘッド40と、半導体チップをボンディングした基板１を受け取るアンローダ50とを備えている。
【００３０】
前記基板１は、例えば、図２（Ａ）（Ｂ）に示すように、長さ寸法がＬ，幅寸法がＷ，厚さ寸法がｔの矩形状、かつ平板状で、縦横に多数の半導体チップのボンディング領域２を有しているとともに、幅方向の一方側に長さ方向に沿って、ボンディング領域２の無い把持領域３を有している。なお、この把持領域３には、従来の送り爪方式のような送り爪用孔は不要であるが、従来の送り爪用孔が形成されている基板でも、何ら支障なく使用することができる。
【００３１】
前記ローダ20は、基板１を多数ストックしておき、１枚ずつ搬送装置70に供給するもので、概略的には、図３に示すように、多数の基板１を積層しておいて、１個または複数個のワーク吸着手段26により最上方の基板１から１枚ずつ吸着して、搬送装置70に供給するもので、詳細な構成と動作については後述する。
【００３２】
前記搬送装置70は、図２の基板１の把持領域３を把持して搬送するもので、詳細な構成と動作については後述する。
【００３３】
前記接合材塗布装置30は、例えば、図４に示すように、取付部材31に取り付けたシリンジ32内に接合材33を収納し、圧縮気体34によってノズル35から接合材33を所定量ずつ吐出するようにしたもので、Ｘ軸駆動モータによって基板１の幅方向（Ｘ方向）に間欠移動可能に構成して、基板１の幅方向に沿って一列状に配置されているボンディング領域２に、順次、接合材33を塗布するようにしたものである。
【００３４】
なお、必要に応じて、幅方向の複数のボンディング領域２に同時に、接合材33を供給するようにしてもよい。ただし、後述するボンディングヘッド40が、基板１の幅方向に並んだ各ボンディング領域２に、順次、半導体チップをボンディングしていくので、実用上は、単一のノズルを有するもので十分である。
【００３５】
なお、シリンジ32を取り付けた取付部材31は、Ｙ軸駆動モータによって基板１の進行方向に沿って移動可能に構成してもよい。このようにすると、例えば、ＣＭＯＳカメラなどの第１の画像認識装置（図示省略）で、接合材塗布前のボンディング領域２の状態や、接合材塗布後のボンディング領域２の状態を画像認識する場合に、取付部材31をＹ方向に移動退避させて、画像を認識し易くすることができる。
【００３６】
前記半導体チップのボンディングヘッド40は、真空吸着力を利用して、図５に示すように、半導体チップのピックアップ位置Ｐ１から半導体チップ65を１個ずつピックアップして、ボンディング位置Ｐ２にある基板１の接合材33が塗布されたボンディング領域２に、順次ボンディングするものである。
【００３７】
前記半導体チップ65のピックアップ位置Ｐ１には、例えば、図６（Ｃ）に示すような、ウェーハリング61に貼着された粘着シート62に多数の半導体チップ65が接合された半導体チップ集合体60が配置されている。この半導体チップ集合体60は、周知のように、図６（Ａ）に示すように、ウェーハリング61に貼着された粘着シート62に半導体ウェーハ63を貼り付け、図６（Ｂ）に示すように、ダイサ64によって半導体ウェーハ63を切断して個々の半導体チップ65に分割したのち、図６（Ｃ）に示すように、粘着シート62を固定リング66の上に載せて、ウェーハリング61を押し下げて粘着シート62を引き伸ばすことによって、個々の半導体チップ65，65間を離間させるとともに、粘着シート62と半導体チップ65との接合力を低下させたものである。
【００３８】
前記アンローダ50は、例えば、図７に示すように、エレベータ51に、多数の基板１を所定ピッチで上下方向に収納可能なマガジン52を載置して、エレベータ51を１ピッチずつ下降（または上昇）させてマガジン52内にボンディングを終了した基板１を下方（または上方）から１枚ずつ収納していくものである。
【００３９】
前記ローダ20は、図８〜図１１に示すように、大きく分けて、多数の基板１を積層して載置するワーク載置台（以下、台という）21と、台21の上方に配置されており、積層された基板１を最上層のものから吸着してロード位置に移載するワーク移載手段22とを備えている。ワーク移載手段22は、水平移動手段23と、昇降手段24と、水平方向スライド手段25と、この水平スライド手段25に取り付けられたワーク吸着手段26と、ワーク移載手段22の動作を制御する制御手段27とを備えている。
【００４０】
前記台21は、多数の基板１を積層して収納した収納具212を位置決めする位置決め部材211を有し、この位置決め部材211によって複数個の収納具212が位置決めして載置される。収納具212は、箱型のものでもよいが、矩形状の基板１を左右方向にズレなく収納できるものであれば、単に、基板１の４辺に接触する複数本のポスト213を有するものでよい。
【００４１】
また、台21には、図９（Ｃ）に示すように、収納箱212の有無検出用のセンサ214が配設されており、センサ214で収納箱212の有無を検出して、収納箱212が無い位置へ収納箱212を供給したり、収納箱212が存在していない台21部分をワーク吸着手段26がスキップしたりするようにしている。
【００４２】
前記水平移動手段23は、駆動モータ231によって駆動される駆動プーリ232と、従動プーリ233と、これらのプーリ232,233に掛け渡されたタイミングベルト234と、前記タイミングベルト234に取り付けられた水平移動部材235と、この水平移動部材235を水平方向にガイドするガイドレール236とを備え、駆動プーリ231によりタイミングベルト234が、図８の時計方向または反時計方向に回動すると、水平移動部材235が右方向または左方向に移動するようになっている。
【００４３】
前記昇降手段24は、前記水平移動部材235に取り付けられた垂直方向ガイドレール241と、この垂直方向ガイドレール241に沿って垂直方向に移動する垂直移動部材242と、この垂直移動部材242を駆動する駆動手段の一例としてのエアシリンダ243とを備えており、エアシリンダ243のピストンが伸張すると、垂直移動部材242が下降し、エアシリンダ243のピストンが退入すると、垂直移動部材242が上昇する。常時は、エアシリンダ243のピストンが退入して、ワーク吸着手段26が上死点に位置している。
【００４４】
前記水平方向スライド手段25は、前記垂直移動部材242に対して水平方向にスライド自在に取り付けられている。この水平方向スライド手段25に対して、後述するワーク吸着手段の取付部材251が取り付けられている。
【００４５】
前記ワーク吸着手段の取付部材251には４本のワーク吸着手段26が取り付けられている。図９（Ｂ）に示すように、各ワーク吸着手段26の下端には、吸着パッド261を備えており、この吸着パッド261は、常時、圧縮ばね262の弾性力によって下方に付勢されており、下端が基板１などの上面に接触すると、圧縮ばね262の弾性力に抗して、上昇可能に構成されている。それによって、ワーク吸着手段26が基板１に衝突することによる衝撃を吸収緩和するようにしている。
【００４６】
前記４本のワーク吸着手段26の近傍には、それぞれストッパピン28が配置されている。このストッパピン28の下端は、ワーク吸着手段26の下端よりも若干上方に位置しており、ワーク吸着手段26の過剰な上昇によって、ワーク吸着手段26が破壊されるのを防止するためのものである。
【００４７】
４本のワーク吸着手段26の内、１本のワーク吸着手段26およびストッパピン28には、図９（Ｂ）に示すように、センサ29（29a、29ｂ）が取り付けられている。このセンサ29は、例えば、磁気センサで、圧縮ばね262が自由状態では、センサ29a,29bが接近（または離隔）しているため作動せず、ワーク吸着手段26の下端が基板１などの上面に当接して圧縮ばね261が圧縮されると、センサ29a,29bが離隔（または接近）することによって、ワーク吸着手段26が基板１などに接触したことを検知可能になっている。このセンサ29の検出出力によって、ワーク吸着手段26の下降動作が停止される。
【００４８】
制御手段27は、図１２に示すように、真空系271と、圧縮気体系272と、第１の切替弁273と、圧力スイッチ274と、第２の切替弁275を備え、第１の切替弁273の二次側にワーク吸着手段26が接続されている。第１の切替弁273とワーク吸着手段26との間には、圧力スイッチ274が分岐して接続されている。第１の切替弁273は、ブロック273a,273b,273cを有する３段切替式のもので、図示するように、ブロック273bが入力ポートに接続された状態では、ワーク吸着手段26は真空系271および圧縮気体系272から切り離される。また、切替弁273のブロック273aが入力ポートに接続された状態では、ワーク吸着手段26に圧縮気体が供給される。また、切替弁273のブロック273cが入力ポートに接続された状態では、ワーク吸着手段26が真空系271に接続される。
【００４９】
なお、圧縮気体系272の配管は、第１の切替弁273の入力ポートに至る途中で分岐されて、切替弁273の駆動源としても利用されており、切替弁273を、常時は、図１２に示す位置，すなわち、ブロック273bが入力ポートに接続されるように付勢している。
【００５０】
また、圧縮気体系272には、第２の切替弁275が接続されており、切替弁275の二次側には、ワーク吸着手段26の昇降手段であるエアシリンダ243が接続されている。切替弁275は、ブロック275a,275bを有する２段切替式のもので、図示するように、ブロック275bが入力ポートに接続されると、エアシリンダ243の下方室側に圧縮気体が供給されるとともに、上方室側が開放されるため、エアシリンダ243のピストンは上昇する。常時は、図示するように、ブロック275bが入力ポートに接続されているため、ピストンは上死点に位置している。また、ブロック275aが入力ポートに接続されると、エアシリンダ243の上方室側に圧縮気体が供給されるとともに、下方室側が開放されるので、エアシリンダ243のピストンは下降する。
【００５１】
なお、第１の切替弁273と圧力スイッチ274との間には、エアフィルタ276が接続されている。また、切替弁273の一次側と圧縮気体系272との間には、スピードコントローラ277が接続されている。さらに、第２の切替弁275の二次側とエアシリンダ243との間に、スピードコントローラ278,279が接続されている。
【００５２】
次に、搬送装置70の構成と動作について説明する。搬送装置70は、図１３および図１４に示すように、下側のタイミングベルト（以下、下側ベルトという）71と、上側のタイミングベルト（以下、上側ベルトという）72とを上下に対向させて配置している。下側ベルト71は、所定の高さ位置に配置固定した駆動プーリ73，従動プーリ74および多数の送りプーリ75，76により、上側ベルト72側が水平状態に支持されて、図示矢印方向（左方から右方）に移動するようになっている。上側ベルト72は、駆動プーリ77，従動プーリ78および多数の送りプーリ79，80によって、下側ベルト71側が水平状態に支持されて、図示矢印方向（左方から右方）に移動するようになっている。
【００５３】
前記駆動プーリ73，77は、図１５（Ａ）（Ｂ）に示すように、回転軸の他方端部にプーリ73A，77AＡが固定されており、このプーリ73A，77Aに、単一の駆動モータ81の回転軸に取り付けられたプーリ82と、テンションプーリ83とともにタイミングベルト84を掛け渡して、同期して、かつ逆方向に回転駆動されている。
【００５４】
前記下側ベルト71の駆動プーリ73，従動プーリ74および上側ベルト72の駆動プーリ77，78、さらに、駆動モータ81に取り付けられたプーリ82およびテンションプーリ83は、いずれも鍔付きで、かつ、周面に上下ベルト71，72の内周面に形成されている凹凸に噛み合う凹凸を有するタイミングベルト用のものである。
【００５５】
なお、上側ベルト71の送りプーリ75，76および下側ベルト72の送りプーリ79，80の内、送りプーリ75，79（図１３のＡで示す）は、周面に上下ベルト71，72の凹凸に噛み合う凹凸を有するタイミングベルト用のものであり、送りプーリ76，80（図１３のＢで示す）は周面に上下ベルト71，72の凹凸に噛み合う凹凸を有していない、単なる支持用のものである。
【００５６】
また、図１６（Ｂ）およびこの図１６（Ｂ）における矢視Ａ部分を拡大した図１６（Ｃ）から明らかなように、前記下側ベルト71側の送りプーリ75および上側ベルト72側の送りプーリ79は、鍔付きのもので、上下ベルト71，72が脱落しないようになっている。
【００５７】
一方、図１６（Ｂ）における矢視Ｂ部分を拡大した図１６（Ｄ）から明らかなように、前記下側ベルト71側の送りプーリ76および上側ベルト72側の送りプーリ80は、鍔無しのものである。このように、送りプーリ76および80を、鍔および凹凸が無い安価なものを使用して、鍔および凹凸を有する高価な送りプーリ75，79と交互に配置することによって、コスト低減を図っている。
【００５８】
また、前記上側ベルト72の送りプーリ79，80の軸79a，80aは、図１３に示すように、下側ベルト71の送りプーリ75，76の軸75a，76aに対して、若干ローダ20側に偏心して設けられている。しかも、図１６（Ａ）に示すように、各送りプーリ79，80のアンローダ50側は、引張りばね85によって、常時、斜め下方に向かって引っ張るように付勢されている。このため、上側ベルト72は、各送りプーリ79，80に作用している引張りばね85の弾性力により、常時、下側ベルト71に向かって押し付けられている。
【００５９】
したがって、上下ベルト71，72で基板１を把持できるようになっているとともに、前記引張りばね85の弾性力に抗する力が作用すると、上側ベルト72の送りプーリ79，80が軸79a，80aを中心にして反時計方向に回動し、それによって送りプーリ79，80のアンローダ50側が、引張りばね85の弾性力に抗して上昇動作可能に構成されている。このような構成に基づいて、上下ベルト71，72間に供給される基板１の厚さ寸法ｔがｔ１（＞ｔ）に増大すると、送りプーリ79，80のアンローダ50側が、引張りばね85の弾性力に抗して上昇することによって、上側ベルト72が上昇して、厚い基板１を上下ベルト71，72で把持可能になっている。
【００６０】
なお、下側ベルト71のリターン部分71aには、固定配置されたガイドロール86と、昇降可能なテンションロール87とが設けられており、上側ベルト72のリターン部分72aには、適当数のテンションロール88が設けられており、それぞれ上下ベルト71，72に適度のテンションを作用させている。
【００６１】
さらに、前記上側ベルト72のリターン部分72aにおける、ボンディングヘッド40の移動経路には、図１３に示すように、ボンディングヘッド40の移動を妨げないように、方向変換ロール89，90，91，92によって高さを低下した部分93が設けられている。すなわち、前記半導体チップ集合体60から半導体チップ65をピックアップするピックアップ位置Ｐ１は、図１６（Ｂ）に示すように、上下ベルト71，72の手前（図示下方）側に配置されており、一方、半導体チップ65をボンディングする基板１は、上下ベルト71，72の向こう（図示上方）側に位置しているので、ボンディングヘッド40は、上下ベルト71，72２の手前側にある半導体チップのピックアップ位置Ｐ１と、上下ベルト71，72の向こう側にある基板１との間を往復しなければならない。
【００６２】
したがって、もし、上側ベルト72のリターン部分72aが、低下した部分93の両側のように高いままであると、ボンディングヘッド40は、この高い上側ベルト72のリターン部分72aを上昇→水平移動→下降して、上側ベルト72のリターン部分72aを乗り越えなければならず、ボンディングヘッド40の大きな上下動作が必要になるために、ボンディングヘッド40の駆動機構が大型、かつ高価になるのみならず、ボンディング速度が低下することが避けられない。
【００６３】
これに対して、図１３に示すように、上側ベルト72のリターン部分72aに低下した部分93を設けておけば、ボンディングヘッド40は、この低下した部分93を通って大きく上下動作することなく、上下ベルト71，72の手前側の半導体チップピックアップ位置Ｐ１と、上下ベルト71，72の向こう側のボンディング位置Ｐ２にある基板１のボンディング領域２との間を高速で往復することができ、ボンディング速度を向上することができる。
【００６４】
なお、搬送装置70は、図１および図１４から明らかなように、上下ベルト71，72の向こう側に、基板１の移動方向に沿って配設されたワーク移動台94を備えており、このワーク移動台94上をローダ20から供給された基板１が搬送されるようになっている。
【００６５】
次に、上記のローダ20を組み込んだダイボンダ10の動作について説明する。まず、搬送装置70の駆動モータ81を駆動して、上下ベルト71，72を図１３の矢印方向に同期して、基板１のボンディング領域２の１ピッチ相当分ずつ、間欠的に移動させるようにしておく。
【００６６】
このとき、第１の切替弁273は、図１２に示すように、ブロック273bが入力ポートに接続されているので、ワーク吸着手段26は真空系271および圧縮気体系272からフリーの状態になっている。また、エアシリンダ243の下方室側は、第２の切替弁275を介して圧縮気体系272に接続され、上方室側は第２の切替弁275を介して開放されているので、エアシリンダ243のピストン、すなわち、ワーク吸着手段26は上死点に位置している。
【００６７】
そして、ローダ20の水平移動手段23により、水平移動部材235を収納箱212内に収納された基板１の真上位置に移動させた後、第２の切替弁275のブロック275aを入力ポートに切り替えると、エアシリンダ243の上方室側に圧縮気体が供給され、下方室側が開放されるので、エアシリンダ243のピストンが下降し、垂直移動部材242が下降し、垂直移動部材242とともにワーク吸着手段26が下降する。ワーク吸着手段26が下降して基板１の上面に接触すると、圧縮ばね262が圧縮されて、ワーク吸着手段26が基板1に衝突する衝撃力を吸収緩和するとともに、センサ29a,29bが離隔（または接近）するので、センサ29によりワーク吸着手段26が基板1に接触したことが検知される。この検出出力によって、ワーク吸着手段26の下降動作が停止される。
【００６８】
同時に、第１の切替弁273のブロック273cが入力ポートに接続されるため、ワーク吸着手段26が真空系271に接続される。このため、ワーク吸着手段26によって基板１が真空吸着される。
【００６９】
ワーク吸着手段26が基板１を吸着すると、切替弁273の二次側の圧力が急低下するため、圧力スイッチ274が作動して、第２の切替弁275が再び図１２の状態に切り替わり、圧縮気体がエアシリンダ243の下方室側に供給され、上方室側が開放されるため、エアシリンダ243のピストンが上昇し、これに伴ってワーク吸着手段26が上昇するので、基板１を吸着したワーク吸着手段26が上昇する。このとき、基板１は４個のワーク吸着手段26により、その４隅近傍が確実、かつ強固に、水平状態に吸着保持される。
【００７０】
基板１を真空吸着したワーク吸着手段26が上死点に達すると、水平移動駆動手段23によりワーク吸着手段26が水平移動し（あるいは、ワーク吸着手段26が上昇中に同時に水平移動部材235によりワーク吸着手段26が斜め上方に移動して上死点に達すると）、切替弁275が切り替えられて、エアシリンダ243のピストンが再び下降する。
【００７１】
ワーク吸着手段26に吸着された基板１がワーク移動台94に当接すると、圧縮ばね262がその弾性力に抗して圧縮されるために、センサ29が基板１がワーク移動台94に当接したことを検出する。すると、水平方向スライド部材25によってワーク吸着手段26が基板１を吸着したまま上下ベルト71，72側に水平移動して、基板１の把持領域３を、搬送装置70の上下ベルト71,72の間に挿入する。
【００７２】
その後、第１の切替弁273のブロック273aが入力ポートに接続されるため、ワーク吸着手段26に圧縮気体が供給されて、ワーク吸着手段26に吸着された基板１が解放されて、搬送装置70の上下ベルト71,72で基板１が間欠的に搬送される。同時に、第２の切替弁275が図１２に示すように切り替えられて、エアシリンダ243の下方室側に圧縮気体が供給されて、上方室側が開放されるので、基板１を解放したワーク吸着手段26が上昇する。上昇したワーク吸着手段26は、水平移動手段23によって水平移動して、元の収納箱212の上方に復帰する。
【００７３】
基板１が、その把持領域３を手前側（上下ベルト71，72側）にして搬送装置70に供給されると、搬送装置70の上下ベルト71，72は、この基板１の把持領域３を上下から把持して、図１の左端から右端に向かって、間欠的に搬送する。このとき、接合材塗布装置30は、接合材塗布領域ＰＳから外れた位置に退避している。
【００７４】
基板１の第１列目のボンディング領域２が接合材塗布位置ＰＳに来ると、その位置で一時停止し、ＣＭＯＳカメラなどの第１の画像認識装置（図示省略）により、ボンディング領域２の画像を認識して、ボンディング領域２が正規の位置に位置しているかどうか検査する。万一、ボンディング領域２が正規の位置に位置していない場合は、搬送装置70の駆動機構を作動させて、ボンディング領域２を正規の位置に修正する。
【００７５】
ボンディング領域２が正規の位置に位置していることが確認されると、接合材塗布装置30が下降して、基板１のボンディング領域２に接合材33を塗布し、上昇する。すると、Ｘ方向駆動モータによって、取付部材31がワークの幅方向に１ピッチ分だけ水平移動して下降し、基板１の第１列目における第２番目のボンディング領域２に接合材33を塗布し、上昇する。以下、同様に、基板１の第１列目における第３番目から最後番目のボンディング領域２に、順次、接合材33を塗布し、上昇する。
【００７６】
このようにして、基板１の第１列目の全ボンディング領域２に接合材33を塗布し終わると、第１の画像認識装置によって、ボンディング領域２の接合材塗布状態を画像認識して、万一、塗布状態が不良のボンディング領域２があると、その不良塗布状態のボンディング領域２を記憶装置に記憶させるとともに、接合材塗布装置30による塗布条件を修正する。
【００７７】
このようにして、少なくとも第１列目の全ボンディング領域２に接合材33が塗布され塗布状態が画像認識されると、上下ベルト71，72の移動によって、基板１が１ピッチ相当分だけ間欠的に搬送される。以下、前記同様にして、基板１の第２列目、第３列目、…の各列における全ボンディング領域２の接合材塗布前の状態および／またはボンディング領域２の接合材塗布状態が画像認識される。
【００７８】
なお、前述のように、第１の画像認識装置としてＣＭＯＳカメラを用いれば、ＣＣＤカメラに比較して、高分解能であるため、基板１の少なくとも一列の全ボンディング領域２を視野内に収めて一括して画像認識することができる。また、このとき、基板１の第１列目の全ボンディング領域２のみならず、第２列目以降の数列目までの全ボンディング領域２をも一括して画像認識することができるので、接合材塗布前および／または接合材塗布後の状態は、視野内の数列目までの全ボンディング領域２を一括して画像認識することができる。
【００７９】
したがって、ＣＣＤカメラに比較して、ＣＭＯＳカメラの基板１の幅方向への移動が不要であることにより、ＣＭＯＳカメラの支持機構が簡単、かつ、小型化され、安価になる。また、ＣＭＯＳカメラの水平移動時間およびこの水平移動に伴う画像の揺れが収まるまでの待ち時間が不要なため、画像認識が高速化できる。さらに、基板１の１列分または数列分のボンディング領域２を一括して画像認識した後の空き時間を利用して、画像を処理することができる。また、数列分のボンディング領域２を一括して画像認識した後の空き時間を利用して、全ボンディング領域２の中の単一または複数のボンディング領域２の画像を、順次、分割拡大して、より高精度の接合材塗布状態の検査を実施することができる。
【００８０】
接合材33が塗布された基板１は、上下ベルト71，72によって、図１３の右方に向かって間欠的に搬送され、第１列目のボンディング領域２がボンディング位置ＰＢに来ると、のＣＭＯＳカメラなどの第２の画像認識装置（図示省略）によって、第１列目の接合材が塗布された全ボンディング領域２が画像認識される。したがって、この第２のＣＭＯＳカメラなどによって、再度、半導体チップのボンディング前の接合材塗布状態が画像認識により検査される。
【００８１】
万一、この接合材塗布状態の検査により、および／または前記第１のＣＭＯＳカメラによる検査により第１列目に接合材塗布状態が不良のボンディング領域２があると、これらの接合材塗布状態が不良のボンディング領域２をスキップしてボンディングヘッド40により、半導体チップ65をボンディングする。
【００８２】
このボンディング位置ＰＢでは、図５に示すように、ボンディングヘッド40によって、ピックアップ位置Ｐ１で半導体チップ集合体60から半導体チップ65を１個ずつピックアッップして、ボンディング位置Ｐ２で基板１のボンディング領域２に塗布されている接合材33を介して、順次、基板１にボンディングされる。
【００８３】
このとき、前述のように、上側ベルト72のリターン部分72aに低下した部分93を設けてあるので、ボンディングヘッド40は、半導体チップ65のピックアップ位置Ｐ１と基板１のボンディング位置Ｐ２との間を、大きく上下動作することなく往復移動することができ、ボンディング速度を向上することができる。基板１の第１列目のボンディング領域２に半導体チップ65のボンディングが終了すると、基板１が１ピッチ分だけ間欠的に搬送されて、以下、第２列目、第３列目のボンディング領域２に、順次、半導体チップ65がボンディングされる。
【００８４】
なお、前述のように、第２の画像認識装置としてＣＭＯＳカメラを用いれば、ＣＣＤカメラに比較して高分解能であるため、基板１の少なくとも一列の全ボンディング領域２を視野内に収めて一括して画像認識することができる。また、このとき、基板１の第１列目の全ボンディング領域２のみならず、第２列目以降の数列目までの全ボンディング領域２をも一括して画像認識することができるので、半導体チップのボンディング前および／またはボンディング後の状態は、視野内の数列目までの全ボンディング領域２を一括して画像認識することができる。
【００８５】
したがって、ＣＣＤカメラに比較して、ＣＭＯＳカメラの基板１の幅方向への移動が不要であることにより、ＣＭＯＳカメラの支持機構が簡単、かつ、小型化され、安価になる。また、ＣＭＯＳカメラの水平移動時間およびこの水平移動に伴う画像の揺れが収まるまでの待ち時間が不要なため、画像認識が高速化できる。さらに、基板１の１列分または数列分のボンディング領域２を一括して画像認識した後の空き時間を利用して、画像を処理することができる。また、数列分のボンディング領域２を一括して画像認識した後の空き時間を利用して、全ボンディング領域２の中の単一または複数のボンディング領域２の画像を、順次、分割拡大して、より高精度の接合材塗布状態の検査を実施することができる。
【００８６】
半導体チップ65がボンディングされた基板１は、右方に向かって間欠的に搬送されて、右端のアンローダ50で、エレベータ51の１ピッチずつの上昇動作（または下降動作）に合わせて、順次、マガジン52内に収納される。
【００８７】
ここで、基板１の品種切替えによって、ローダ20から供給される基板１の厚さ寸法ｔが変動した場合のローダ20の動作について説明する。まず、本発明のローダ20は、前述のように、昇降動作機構により所定寸法ずつ昇降動作するものではなく、昇降手段によって下降中のワーク吸着手段26が基板１の上面に接触すると、センサ29により、ワーク吸着手段26が基板１の上面に接触したことを検知して、ワーク吸着手段26を上昇動作するように切り替えるので、基板１の厚さ寸法には全く関係なく、円滑、かつ、確実にワーク吸着手段26で基板１を吸着することができる。
【００８８】
また、ワーク吸着手段26が吸着した基板１をワーク移動台94上に載置する場合も、ワーク吸着手段26に吸着された基板１の下面が台94に接触すると、センサ29により、ワーク吸着手段26に吸着された基板１の下面がワーク移動台94に接触したことが検知できるので、基板１の厚さ寸法には全く関係なく、円滑、かつ、確実にワーク吸着手段26に吸着された基板１をワーク移動台94上に移載することができる。
【００８９】
次に、ローダ20から供給される基板１の厚さ寸法ｔが変動した場合の、搬送装置70の動作について説明する。まず、厚さ寸法がｔの基板１が供給された場合、前述のように、上側ベルト72側の送りプーリ79，80の軸79a，80aがローダ20側に偏心して取り付けられており、かつ、送りプーリ79，80のアンローダ50側が引張りばね85によって、下側ベルト71に向かって付勢されているので、図１７（Ａ）に示すように、送りプーリ79，80のアンローダ50側が引張りばね85の弾性力に抗して基板１の厚さ寸法分だけ上昇することによって、上側ベルト72が上昇し、しかも、上側ベルト72は、常時、引張りばね85の弾性力で下側ベルト71に向かって付勢されているので、上下ベルト71，72で確実に厚さ寸法ｔの基板１の把持領域３を把持して搬送することができる。
【００９０】
次に、厚さ寸法がｔ１（＞ｔ）の基板１ａが供給された場合、図１７（Ｂ）に示すように、上側ベルト72側の送りプーリ79，80は、軸79a，80aを中心にして、反時計方向に回動するが、送りプーリ79，80の軸79a，80aは、ローダ20側に偏心して取り付けられているために、送りプーリ79，80のアンローダ50側が、引張りばね85の弾性力に抗して基板１ａの厚さ寸法分だけ上昇することによって、上側ベルト72が上昇して、上下ベルト71，72で厚さ寸法がｔ１（＞ｔ）の基板1aの把持領域３を把持して、搬送することができる。
【００９１】
このように、上記の搬送装置10では、基板１の厚さ寸法の変動に対応して、送りロール79，80のアンローダ50側が引張りばね85の弾性力に抗して昇降して、上側ベルト72が昇降する結果、アダプタを用いたり、送りロール79，80の取付位置を調整したりすることなく、円滑に対応可能である。このため、上側ベルト72の送りロール79，80の直径寸法や軸79a，80aの偏心寸法は、この搬送装置70を搬送される基板の厚さ寸法の変動範囲に応じて、予め適当に設定しておく必要がある。
【００９２】
また、基板１の品種切替えによって、長さ寸法Ｌ１（≠Ｌ）の基板１ｂや、幅寸法Ｗ１（≠Ｗ）の基板１ｃが供給されても、前述のように、上下ベルト71，72は、基板１ｂ，１ｃの端部の把持領域３を把持するので、基板１ｂ，１ｃの長さ寸法Ｌ１や幅寸法Ｗ１には全く関係なく、基板１ｂ，１ｃの把持領域３を把持して、円滑に間欠的に搬送することができる。
【００９３】
なお、上記の実施形態は、本発明の特定の形態について説明したもので、本発明はこの実施形態に限定されるものではなく、各種の変形が可能である。
【００９４】
例えば、上記実施形態では、ワーク移載手段22、水平移動手段23と、昇降手段24と、水平方向スライド手段25などは、任意の構成にすることができる。また、ワーク吸着手段２６における吸着パッド261の個数や配置は、ワークの形状や大きさによって任意に設定することができる。
【００９５】
また、上記実施形態の搬送装置70は、上下のタイミングベルト71，72で基板１の把持領域３を把持して搬送する場合について説明したので、ワーク移載手段22のワーク吸着手段26で吸着した基板１の下面がワーク移動台94の上面に接触してから、水平スライド手段25で基板１を水平移動させて、搬送装置70の上下ベルト71，72の間に挿入するようにしたが、搬送装置は従来周知のクランパ方式や送り爪方式の搬送装置を採用することもでき、そのような場合には、水平スライド手段25は省略することができる。
【産業上の利用可能性】
【００９６】
本発明のローダおよびダイボンダは、半導体チップのダイボンダにおいて特に有用であるが、抵抗器チップやコンデンサチップなどの各種電子部品のダイボンダにも適用することができる。
【図面の簡単な説明】
【００９７】
【図１】本発明のローダを組み込んだダイボンダの概略平面図である。
【図２】（Ａ）は図１のダイボンダに使用する基板の一例の平面図、  （Ｂ）は（Ａ）の基板の正面図である。
【図３】図１のダイボンダにおけるローダの概略正面図である。
【図４】図１のダイボンダにおける接合材塗布装置の概略側面図である。
【図５】図１のダイボンダにおけるボンディングヘッドの動作説明図である。
【図６】（Ａ）〜（Ｃ）は図１のダイボンダにおける半導体チップのピックアップ位置に配置する半導体チップ集合体の製造工程の概略断面図である。
【図７】図１のダイボンダにおけるアンローダの概略正面図である。
【図８】図１のダイボンダにおけるローダの概略左側面図である。
【図９】（Ａ）は図９のローダの概略正面図、  （Ｂ）は（Ａ）の円ａにおけるワーク吸着手段部分の拡大正面図、  （Ｃ）は収納箱の有無検出センサ部の概略拡大断面図である。
【図１０】図９のローダの概略平面図、  （Ｂ）は（Ａ）のローダの概略正面図である。
【図１１−１】図８のローダにおけるＡ−Ａ線に沿った拡大横断面図である。
【図１１−２】図８のローダにおける昇降手段および水平スライド手段の概略側断面図である。
【図１２】図８のローダにおける制御手段である真空系および圧縮気体系の配管系統図である
【図１３】図１のダイボンダにおける搬送装置の上下ベルトおよびプーリの配置状態を示す正面図である。
【図１４】図１３の搬送装置の拡大断面図である。
【図１５】（Ａ）は図１３の搬送装置における駆動プーリ部分の背面図、  （Ｂ）は（Ａ）の駆動プーリ部分の右側面図である。
【図１６】（Ａ）は図１３の搬送装置における上側送りプーリ部分の概略正面図、  （Ｂ）は（Ａ）の上側送りプーリ部分の概略平面図、  （Ｃ）は（Ｂ）の矢視Ａ部分の拡大側断面図、  （Ｄ）は（Ｂ）の矢視Ｂ部分の拡大側断面図である。
【図１７】（Ａ）は厚さ寸法が小さい基板が供給された場合の搬送装置の上下ベルトおよび上下送りプーリの拡大正面図、  （Ｂ）は厚さ寸法が大きい基板が供給された場合の上下ベルトおよび上下送りプーリの拡大正面図である。
【図１８】（Ａ）は従来のダイボンダの概略正面図、  （Ｂ）は（Ａ）のダイボンダの概略平面図である。
【図１９】従来のダイボンダにおけるローダの概略正面図である。
【符号の説明】
【００９８】
１，１ａ  ワーク（基板）
２  ボンディング領域
３  把持領域
10  ダイボンダ
20  ローダ
21  ワーク載置台
212  ワーク収納箱
22  ワーク移載手段
23  水平移動手段
24  昇降手段
25  水平方向スライド手段
26  ワーク吸着手段
261  吸着パッド
262  圧縮ばね
28  ストッパピン
29  センサ
30  接合材塗布手段（装置）
40  ボンディングヘッド
50  アンローダ
60  半導体チップ集合体
65  半導体チップ（ダイ）
70  搬送装置
【図１】
2005051118.tif 000003
【図２】
2005051118.tif 000004
【図３】
2005051118.tif 000005
【図４】
2005051118.tif 000006
【図５】
2005051118.tif 000007
【図６】
2005051118.tif 000008
【図７】
2005051118.tif 000009
【図８】
2005051118.tif 000010
【図９】
2005051118.tif 000011
【図１０】
2005051118.tif 000012
【図１１−１】
2005051118.tif 000013
【図１１−２】
2005051118.tif 000014
【図１２】
2005051118.tif 000015
【図１３】
2005051118.tif 000016
【図１４】
2005051118.tif 000017
【図１５】
2005051118.tif 000018
【図１６】
2005051118.tif 000019
【図１７】
2005051118.tif 000020
【図１８】
2005051118.tif 000021
【図１９】
2005051118.tif 000022